(57)【要約】【解決手段】残留ガスから水素ガスを分離するための水素透過性拡散膜を含み、かつ加熱手段を装備する、炭化水素流および水蒸気から高純度水素を製造する膜型反応器において、加熱手段が反応器の中心に配置されている熱伝導体であることを特徴とする、上記膜型反応器。【特許請求の範囲】
【請求項１】
残留ガスから水素ガスを分離するための水素透過性拡散膜を含み、かつ加熱手段を装備する、炭化水素流および水蒸気から高純度水素を製造する膜型反応器において、加熱手段が反応器の中心に配置されている熱伝導体であることを特徴とする、上記膜型反応器。
【請求項２】
反応器が炭化水素を水素に変換する触媒を含有しそしてこの触媒が好ましくは拡散膜中にまたは直接的に拡散膜上に位置する、請求項１に記載の膜型反応器。
【請求項３】
膜材料自体が触媒作用をする、請求項１または２に記載の膜型反応器。
【請求項４】
膜が加熱手段を装備している、請求項１〜３のいずれか一つに記載の膜型反応器。
【請求項５】
加熱手段が電気的加熱器および／または燃料として水素、一酸化炭素および／または炭化水素を用いる燃焼加熱器である、請求項１〜４のいずれか一つに記載の膜型反応器。
【請求項６】
加熱伝導体が残留ガスを後燃焼させることができる管状物として構成されている、請求項１〜５のいずれか一つに記載の膜型反応器。
【請求項７】
触媒がＰｄ／Ａｇ−合金を含む水素透過性の膜である、請求項１〜６のいずれか一つに記載の膜型反応器。
【請求項８】
膜が電導性に形成されているかまたは電導性層で被覆されている、請求項１〜７のいずれか一つに記載の膜型反応器。
【請求項９】
拡散膜が反応器空洞の周りに同心的にかつ同軸的に配置されており、そして反応器壁を形成する、請求項１〜８のいずれか一つに記載の膜型反応器。
【請求項１０】
炭化水素流および水蒸気から高純度水素ガスを製造する方法において、以下の各段階
１）　水蒸気改質反応を実施し、
２）　生じる水素を拡散膜によって分離し、
３）　炭化水素混合物よりなる炭化水素流を水素化処理するための予備処理段階を、ｎ−パラフィンを同時に発生させながら実施し、その際に予備処理段階で生じる水素化熱が、予備処理段階を進行させおよび予備処理段階から離れる炭化水素流が所望の目的温度を達成するのに十分である割合で水素化可能炭化水素を上記炭化水素混合物が含有すること
を特徴とする、上記方法。
【請求項１１】
水蒸気改質反応および水素の分離を膜型反応器で実施する請求項１０に記載の方法。
【請求項１２】
以下の各段階：
ａ）反応器の拡散膜を５００〜１０００℃の温度に加熱し、
ｂ）反応器中に反応流を供給しそしてそれを好ましくは触媒を担持した拡散膜に　５００〜１０００℃の温度で接触変換させ、
ｃ）発生する水素を拡散膜を通して反応器から搬出し、
ｄ）残留ガス流を反応器を通して搬出する、
請求項１１に記載の方法。
【請求項１３】
予備処理段階でｎ−パラフィンとして実質的にメタン、エタン、プロパン、ブタンを発生させる、請求項１０〜１２のいずれか一つに記載の方法。
【請求項１４】
予備処理段階で、水蒸気改質法に必要とされるプロセス水を蒸発させる、請求項１０〜１３のいずれか一つに記載の方法。
【請求項１５】
生じる水素化熱が、水蒸気改質段階のためのプロセス蒸気を膜型反応器のための入り口温度に加熱するのに十分である、請求項１０〜１４のいずれか一つに記載の方法。
【請求項１６】
予備処理段階のための反応器内部に位置する管によってプロセス水を４００〜６００℃に加熱する、請求項１０〜１５のいずれか一つに記載の方法。
【請求項１７】
予備処理段階で燃料中に含まれる芳香族化合物を水素化しそして燃料の気化を行う、請求項１０〜１６のいずれか一つに記載の方法。
【請求項１８】
予備処理段階のために過剰の水素を使用し、それによって芳香族化合物および分解生成物を十分に飽和させる、請求項１０〜１７のいずれか一つに記載の方法。
【請求項１９】
拡散膜が水素だけを透過する請求項１０〜１８のいずれか一つに記載の方法。
【請求項２０】
残留ガスを水蒸気改質反応器中で後燃焼に付す、請求項１０〜１９のいずれか一つに記載の方法。
【請求項２１】
残留物中に含まれる二酸化炭素を特に好ましくは液化によって除きそして残る残留ガス流を好ましくは後燃焼に付す、請求項１０〜２０のいずれか一つに記載の方法。
【請求項２２】
発生する水素を特に好ましくは改質の一時停止の間にタンクに貯蔵しそして好ましくは反応器／燃料電池の運転開始時にまたはピークの需要時に再び供給する、請求項１０〜２１のいずれか一つに記載の方法。
【請求項２３】
請求項１０、１４または１５に従う予備処理段階を実施するのに適する炭化水素混合物。
【発明の詳細な説明】
【０００１】
【発明の属する技術分野】
本発明は、炭化水素流および水蒸気から高純度水素を製造するための膜型反応器並びに高純度水素を製造する方法およびそれに適する、燃料として役立つ炭化水素混合物に関する。この反応器は燃料電池を用いて運転される自動車および家庭用暖房システムにおいて使用するのに特に有利である。
【０００２】
次にこの明細書で使用される言葉を規定する。“廃ガス”とは、残留物（ｒｅｔｅｎｔａｔｅ）の後燃焼によって生じるガスを意味する。このガスは水および二酸化炭素よりなる。“改質物”とは水蒸気改質反応で生じる生成物を言う。改質物は膜によって透過物と残留物とに分けられる。改質物は水素、水、一酸化炭素および二酸化炭素よりなる。“透過物”とは膜を透過するガスを意味する。これは水素である。“残留物”は改質器を離れるガスを意味する。このものは二酸化炭素、炭化水素残留物、水素、水および一酸化炭素よりなる。
【０００３】
水素は工業的規模においては炭化水素から製造される。炭化水素源は液化石油ガス、内燃機関用液体燃料、例えばベンジン、ディーゼル油またはメタノールである。この方法は一般に二段階で実施される。最初に炭化水素を水で吸熱反応において水素ガスと一酸化炭素に変換する。この段階を水蒸気改質工程と言う。この反応は６００℃以上の温度で進行する。もう一つの反応段階、いわゆるシフト反応では改質反応で生じた一酸化炭素を水で水素ガスと二酸化炭素とに変換する。この反応は３５０℃以下の低温で行う。シフト反応は発熱反応である。
【０００４】
従来技術のこの方法の欠点は、このシステムのエネルギー効率が７５％より小さいこと、同様に生じる一酸化炭素を除去するかシフト反応に付するために、発生する水素を改質反応の後に精製しそして濃縮しなければならないことである。
【０００５】
それ故に最近では、製造された水素の純度を高めるために膜を備えた反応器が水素の製造のために開発されている。
【０００６】
例えば国際特許出願公開（Ａ１）第９９／４３６１０号明細書には、炭化水素を直接的に変換することによって水素ガスを製造する膜型反応器を使用することが開示されている。この方法の場合には、炭化水素流をニッケル含有触媒を用いて膜型反応器中で変換することにより高純度の水素が得られる。この膜型反応器は水素が透過する膜および炭化水素の分解によって水素を直接的に製造できる触媒を有している。炭化水素流は４００〜９００℃の範囲内の温度で触媒と接触され、その結果ガスの変換が水素の生成下に行われる。その後に水素が膜壁を選択的に透過されそして反応器から搬出される。
【０００７】
同様に国際特許出願公開（Ａ１）第９９／２５６４９号明細書には、水素を製造するための膜型反応器が開示されている。この反応器は触媒床並びに水素を排ガス流の残りの成分から選択的に分離することができる水素拡散膜を装備している。この水素拡散膜は好ましくはパラジウムをベースとする螺旋または螺旋状の管または管の束で構成されている。場合によっては多孔質セラミック製基体に担持されたパラジウム合金も使用できる。触媒床は一般に触媒粒子または触媒で被覆されている多孔質セラミック材料の顆粒床で構成されている。この触媒床および水素拡散膜は好ましくは同じ反応容器に配置されており、そして触媒床は好ましくは水素拡散膜の周りに同心的におよび同軸的に配置されている。
【０００８】
水素含有前駆体化合物から水素を製造する他の膜型反応器はドイツ特許（出願Ｃ１）第１９９２０５１７号明細書、ドイツ特許出願公開（Ａ１）第１９８０４２８６号明細書、同第１９７５７５０６号明細書および同第１９７５５８１３号明細書から公知である。これらの特許明細書も改質および次いで膜による水素の分離（透過）によって水素を製造する方法を開示している。更に最初に挙げて２つの明細書から膜を追加的に加熱することも公知である。
【０００９】
膜型反応器での慣用の反応制御では吸熱的改質反応を実施するためにプロセス熱を反応器に供給する必要がある。一般に必要とされるプロセス熱は反応器に供給される炭化水素の一部を空気で燃焼させることによって発生する。水蒸気改質反応を実施するためには６００℃以上の温度を達成させなければならない。しかしながら炭化水素流の一部の燃焼は、その燃焼のために空気あるいは酸素を供給しなければならず、生ずた水素を空気中に含まれる窒素で希釈させてしまうという欠点がある。燃焼の際に生じる二酸化炭素によって更なる希釈が行われる。
更にこの方法は、水蒸気改質反応のためのプロセス熱を発生させるために外部燃料または炭化水素の燃焼を必ず必要とするので熱力学的にも不利である。
【００１０】
【発明が解決しようとする課題】
本発明の課題は、必要とされるプロセス熱を炭化水素の一部を燃焼させることなしに反応器中で発生させそしてできるだけ純粋な水素を不純物なしに生成する膜型反応器を提供することである。
【００１１】
【課題を解決するための手段】
この課題は、請求項１に従う、炭化水素流と水蒸気とから高純度の水素を製造するための膜型反応器によって解決される。該膜材料が触媒として作用するのが特に有利である。
【００１２】
加熱手段は電気的加熱手段または燃料として水素、一酸化炭素および／または炭化水素を用いる燃焼加熱手段でもよい。これらの加熱手段は反応器の中心に配置された熱伝導体である。この熱伝導体は特に有利には、残留ガスを後燃焼させることができる管状体として形成されていてもよい。この手段では、必要とされるプロセス熱を水蒸気改質反応のために必要とされるその場所で、すなわち特に好ましくは膜中に配置されている触媒のところで発生させることが達成される。この場合には加熱手段を原則として色々な配置形態で反応器中に配置することが可能である。例えば総熱量を膜において発生させて反応器を容易に制御することが可能である。しかしながらこの場合には、必要とされる熱量を発生させるために厚い膜を使用しなければならない。膜厚は一般に１〜２０００μｍ、好ましくは１０〜３０μｍ、特に好ましくは２０μｍである。
【００１３】
別の実施態様は、熱量の一部を膜によってもたらしそして他の部分は反応器の中心部の熱伝導体によってもたらすものである。この場合には膜は約１０μｍの厚さに薄くすることができる。２つの理由でできるだけ薄い膜が有利である。その一つは透過速度が膜の厚さに反比例するので水素透過速度が著しく向上することである。すなわち膜の厚さを半分に減らした場合には膜の水素透過速度は倍になる。第二に、同じ水素透過量を達成するために膜面積を半分にできるので、膜のコストを著しく低減できることである。このことは、例えば可能な膜材料としてのパラジウムが現在１ｇ当たり約６０．００ドイツマルク（ＤＭ）であるので、方法の経済性にとって重要な因子である。
【００１４】
更に反応器の中心から外側に温度が低下する場合には、化学的にも有利である。水素濃度は、温度の上昇につれて、一酸化炭素量が増加するので下がる。膜の透過量は高い水素濃度に比例して増加する。従ってより低い温度に向かう温度勾配は水素濃度の増加をもたらす。反応器の中心部の高い温度は炭化水素と水とから一酸化炭素への変換を可能とする。
【００１５】
更に中心に配置された熱伝導体が、有利な反応器構造を選択することを可能とし、それによって反応器壁に接して膜を配置するかまたは該壁を形成することができる。これによって大きな一様な膜面が提供される。外部加熱手段を有する反応器の場合に匹敵する膜面積を達成するためには、反応器において沢山の膜管状物（慣用の構造）または折り畳み膜を使用しなければなならい。この様な種類の構造は純粋に機械的理由から不利である。本発明に従う配列の反応器は組み立てて、更に簡単にいわゆる積層型反応器（ｓｔａｃｋｅｄ ｄｅｓｉｇｎ） としてもよい。
【００１６】
更に加熱伝導体が管状物として設計されて、残留ガスの残留エネルギーを利用するために、改質器の残留ガスおよび未反炭化水素をこの管状物中で後燃焼させてもよい。残留ガスは、水素が膜によって決して完全には分離されないので一般にその水素を含有しており並びに更に燃焼させることができる一酸化炭素も含有している。
【００１７】
別の有利な一つの実施態様においては触媒は膜型反応器の中の拡散膜中にまたは拡散膜上に配置されている。従来技術においては通例の触媒および拡散膜を別々に配置している。反応器の寸法は非常に色々あり得る。反応器の直径は小さくともよく、１〜５０ｍｍの範囲、好ましくは５ｍｍである。反応器長さは１０〜２５０ｃｍ、好ましくは５０ｃｍである。
【００１８】
膜材料としては貴金属合金が使用され、特に好ましくは触媒としても役立つパラジウム−銀−合金が使用される。更に他の金属、例えばロジウム、ルテニウム、ニッケル、コバルトおよび鉄も使用することができる。金属は膜上に慣用の方法で適用される。例えば浸漬法、含浸法、刷毛塗りおよびＣＶＤ（化学蒸着）法で塗布される。これらの方法は触媒を膜に付着させることができる。２ｂおよび２ｃで使用される加熱棒状物は膜と同様に接触的に被覆されていてもよい。この膜は電流を通しそして水素で透過される。
【００１９】
特に有利な一つの実施態様において、膜は導電性に形成されているかまたは電導性層で被覆されており、その際にこの目的で金属が使用される。更に、拡散膜が反応器空洞の周りに同心的におよび同軸的に配置されておりそして発生する水素が透過し得る反応器壁を形成するのが有利である。
【００２０】
反応は二分子反応である。この場合、水と炭化水素とが反応しなければならない。実質的に二種類の反応生成物、すなわち水と更に反応して二酸化炭素になる一酸化炭素、および膜を通って拡散する必要のある水素が得られる。
【００２１】
水素並びに一酸化炭素は炭化水素よりも触媒に良好に吸着される。反応の際に触媒は吸熱反応エンタルピーのために冷却されそしてこの冷却が反応生成物の脱着を阻止する。
【００２２】
これらの二つの点で電気的加熱が介入する。反応熱が作用中心に直接的に供給される。温度は高い水準のままであり、このことが反応生成物の脱着を容易にする。触媒は活性のままである。
【００２３】
本発明の別の対象は、炭化水素流および水蒸気から水素化前処理段階を含めた水蒸気改質によって高純度の水素ガスを製造する方法にも関する。
【００２４】
一般に炭化水素混合物である自動車燃料／燃焼用燃料を改質する際の大きな問題の一つは、それと水との混合の際におよび不均一触媒との接触の際にある。改質段階のために必要とされる温度水準では自動車燃料／燃焼用燃料がコーキング化する傾向がある。炭化水素を必要とされる温度にするシステムは、液体の自動車燃料／燃焼用燃料のコーキング化傾向によって、例えばノズルでのコーキング化または蒸発器での析出によって縦断な危険に曝される。液体の炭化水素から予備処理段階によって気体状炭化水素、特にｎ−パラフィンを製造することが目的である。ｎ−パラフィンは目的生成物の水素へ改質するための最も高い活性を有する。シクロパラフィンおよびメタンはその活性において明らかに悪い。シクロパラフィンは、その分子が脱水素反応によって容易に芳香族化合物および更にはコーキング付着物となり得るので、最もコーキングを引き起こす主要成分である。この不所望の炭化水素を避けることが、改質温度を下げることを実現させる。
【００２５】
予備処理段階を経過する以前の炭化水素混合物の組成は特に好ましくは、以下の方法段階のための水素化熱が十分である様にするべきである：
１．炭化水素流を予備処理段階の反応開始温度、好ましくは＞１５０℃に加熱する。
２．生じたｎ−パラフィンを含有する炭化水素流を膜型反応器の入り口温度、好ましくは＞４００℃に加熱する。
３．膜型反応器の入り口温度、好ましくは＞４００℃（任意）にプロセス水蒸気を過剰加熱する。
４．熱損失を相殺する。
【００２６】
予備処理段階において使用される様な水素化分解は原則として発熱反応である。放出される熱は以下の順番で明らかに増加する：すなわちアルカン、オレフィン、芳香族化合物。予備処理段階のための最適な反応温度はｎ−パラフィンを最大に生成しそして同時に最小量のメタンを生成する様な温度である。メタンの生成は多量の水素を必要とし、このことが系全体の水素循環ガス量を増加させる。しかしながら必要とされる水素循環ガス量は、水素の循環により損失および膜における追加的な分離費用が生じるのでできるだけ少なくするべきである。更にメタンは、高い活性化エネルギーのために高い改質温度を必要とするので、改質段階にとって不利である。
【００２７】
本発明のこの部分の課題は、水素の添加下に触媒のところでｎ−パラフィンに十分に変換される炭化水素混合物をこの方法の予備処理段階で使用することである。水素化によって生じる反応熱は、予備処理段階が断熱条件のもとで進行しそして流出する生成物流の予め決められた目標温度が達成されるように調整するべきである。
【００２８】
この課題は請求項１０に記載の方法によって解決される。
【００２９】
両方の方法段階、すなわち水蒸気改質および水素分離の両方は空間的に分離されておらず、一つだけの反応器で実施するのが有利である。反応器内のガス流が最初に触媒、例えば堆積物の状態のそれを貫流せず、触媒が直接的に膜の上にまたは膜内に配置される該膜に達するのが特に有利である。
【００３０】
特に有利な方法は以下の各段階を含む：
ａ）反応器の拡散膜を５００〜１０００℃、好ましくは７００〜９００℃、特に好ましくは８００℃の温度に加熱し、
ｂ）反応器中に反応物流を供給しそしてそれを好ましくは触媒を担持した拡散膜のところで５００〜１０００℃、好ましくは７００〜９００℃、特に好ましくは８００℃の温度で接触転化させ、
ｃ）発生する水素ガスを拡散膜を通して反応器から搬出し、
ｄ）残留ガス流を反応器を通して除く。
【００３１】
この方法の場合には反応器の拡散膜を加熱することによって吸熱的水蒸気改質プロセスに必要なプロセス熱が触媒の所で直接的に発生され、炭化水素の部分燃焼のような慣用のプロセス熱発生法をもはや必要ない。
【００３２】
本発明の方法は、９６％〜１００％の高純度の水素を生成できるという長所を有する。この水素品質は中でも燃料電池で使用する場合に必要とされる。更に、こうして生成される水素は、特に自動車の燃料電池のために使用する場合、水素流中にできるだけ存在するべきでない硫化水素または一酸化炭素のような触媒毒を含有していない。
【００３３】
それ故にとりわけ炭化水素流は炭化水素流中に存在する芳香族化合物を除くために水素化予備処理に付す。市販の燃料で使用される炭化水素は一般に決して無視できな量の芳香族化合物を含んでいる。しかしながらこれらの芳香族化合物は、水素に変換することが困難でありかつコークスを発生する傾向があるので、水蒸気改質プロセスの際に著しく妨害する。
【００３４】
更に予備処理段階はｎ−パラフィン、好ましくはメタン、エタン、プロパンおよび／またはブタンを生成するのにも役立つ。更に予備処理段階では、水蒸気改質プロセスで必要とされるプロセス水を蒸発するのに使用できる熱を発生する。炭化水素流中の芳香族化合物濃度を一定に調整することによって、この反応器は、後続の水蒸気改質プロセスに必要な熱を、燃料を４００〜６００℃、好ましくは４５０℃に加熱するために提供する。プロセス水は予備処理段階のための水蒸気改質反応器の内部にある管状物によって４００〜６００℃の同じ温度範囲にするのが有利である。予備処理段階では燃料中の芳香族化合物が水素化されそして燃料がガス化される。従って芳香族化合物が燃料中にもはや存在せずそして液状の燃料成分が改質器中に入らないことが保証される。液状燃料成分は改質器中において膜および触媒を破壊する。
【００３５】
予備処理段階の別の長所は、この方法で得られるガス流の組成が、メタン含有量が非常に少ないので、水蒸気改質反応にとって非常に有利であることである。メタンはアルカン基内部に高含有量で水素原子を有しており、かつそれ故にそれを生成するためには、循環供給しなければならない多量の水素を予備処理段階で必要とする。
【００３６】
更に予備処理段階は処理量の変化に対して鈍感である。芳香族化合物および分解生成物を飽和させるためには、水素が過剰に存在しなければならない。
【００３７】
それ故に予備処理段階では分解および水素での芳香族化合物の水素化が行われる。予備処理段階は、後続の水蒸気改質プロセスで使用することができるプロセス熱が発生する発熱工程である。予備処理段階に必要な水素量は水蒸気改質プロセスから得ることができる。膜を透過するために必要な水素分圧は予備処理段階に必要とされる水素分圧と同様に高いので、このための追加的な手段は必要ない。水蒸気改質プロセスで生じる純粋な水素流の一部しか予備処理段階のために供給する必要がない。予備処理段階の分圧は好ましくは１０〜８０ｂａｒの範囲ないである。これは、芳香族化合物がコークスを生成させそして水素への変換を困難にするので、改質器においては望ましくない炭化水素混合物中芳香族化合物成分を除くために予備処理段階を使用することが簡単され得る。
【００３８】
芳香族化合物を除く予備処理段階は更なる利益を提供する。変換によって短鎖の炭化物質を生じさせ、このことが炭化水素流の蒸発を容易にする。更にこの炭化水素は水蒸気とより良好に混合することができる。
【００３９】
芳香族化合物不純物を変換することによって、該芳香族化合物が分解およびコーキングする傾向があるのでコーキングが防止される。
【００４０】
反応の際に更に６より少ない炭素鎖が主に得られるので、芳香族のＣ６ −化合物への可逆反応は考慮しないでよい。
【００４１】
分解法と水素化法との組合せであるこの方法はドイツ特許出願第１９９４９２１１．５に詳細に説明されている。該ドイツ特許出願の内容をここに記載したものとする。
【００４２】
反応に必要とされる水素は水蒸気改質反応から得ることができる。これは、水素が１００％までの高純度で得られそして反応に必要な水素分圧が膜を通す拡散にも必要とされるので、可能である。プロセス熱を得るために炭化水素および空気を用いる水蒸気改質プロセスの場合には、これは直ちには可能ではない。何故ならば、水素が窒素で著しく希釈されそして必要な水素分圧が容易に達成できないかまたは系全体の圧力を高めることによってしか達されないからである。
【００４３】
別の方法では、有利に触媒作用をする拡散膜のところで本来の水蒸気改質反応を行う。しかしながら市販の触媒を水蒸気改質プロセスで使用することも可能である。膜は水素だけを透過するのが有利である。炭化水素流は膜の所で反応しそして生じる水素が膜を透過し、廃ガスは反応器中に残留する。水素を分離することによって反応の化学平衡は生成物の方向に移動する。水素は触媒毒および残留炭化水素の存在しない純粋な状態で生成する。残留ガスは一酸化炭素の他に、膜で分離できない残留炭化水素も含有している。この残留ガスは後燃焼させるかまたは同様に燃料電池に導入することができる。次いで生じた水素流は更に例えば燃料電池で使用することができる。燃料電池で発生する電気エネルギーは膜型反応器の拡散膜を加熱するために使用することができる。
【００４４】
本発明の方法と慣用の系を熱力学的に評価すると、拡散膜を加熱するために燃料電池から得られる電気エネルギーが系全体の高い水素収率のために利用できることおよびこの反応段階の総合的効率が慣用の公知の方法のそれよりも悪くないことがわかる。
【００４５】
触媒膜に関しては、８００℃で十分な水素透過性を有しそして同時に電導性である貴金属合金を使用することに注意するべきである。膜は純粋な成分として使用できるしまたはサンドイッチとして導電性物質、例えばＳｉＣの上に適用されていてもよい。膜は同時に触媒としても作用する。このことは、同時に熱源としても役立つ触媒の所で吸熱的な水蒸気改質反応が直接的に進行するので重要である。これによって触媒のコークス化が有意義に回避されそして表面の掃除もこれによって可能である。
【００４６】
従って本発明の方法は従来技術の方法に比べて顕著な利益をもたらす。１００％までの純度の高純度水素がこの方法で生成されるので、生じる一酸化炭素を変換する追加的な後続のシフト反応によって水素を後から濃厚化したり圧縮したりする必要がない。反応平衡は、必要な温度勾配を適用することによっておよび水素を除くことによって水素の方に移動する。その結果いかなる副生成物も生じない。最大限に可能な水素量は炭化水素と水との化学量論的反応に相応する。このプロセス自体は１０〜８０ｂａｒ、好ましくは４０ｂａｒの圧力で実施するのが有利である。
【００４７】
この方法の別の長所は改質段階を実施するための反応エンタルピーだけしかプロセス熱の形で提供する必要がない点である。炭化水素流の予めの部分燃焼によって窒素を注入する必要がない。温度または温度勾配は、膜透過性および反応速度を制御することができる導電性物質の抵抗線によって正確に制御できる。反応系は完全に酸素なしでもよい。この系を非常にコンパクトに設計できることおよび供給流を向流法でまたは熱交換器によって必要な温度にすることができ、その結果生成物中の熱量を完全に利用することができるという別の長所もある。更に他の反応系に比較してこの膜型反応器プロセスでの物質流は非常に僅かである。何故ならば、電気的加熱によって追加的燃料の形での物質を必要としないからである。
【００４８】
生成物供給は、往復ポンプによって非常に容易に要求される運転圧に圧縮できる主として液状の物質（水および炭化水素）によって行われる。空気での平行酸化を使用する従来技術の方法は、コンプレッサーで空気をおよび天然ガスを使用する場合にはメタンを圧縮しなければならない。気体圧縮は液体圧縮よりも著しく多いエネルギーを必要とし、その結果慣用の方法は圧力増加のために費用的に有利な方法に頼ることができない。本発明の方法では水素量の１０〜２０容量％である水素循環ガスを運転圧に圧縮するだけでよく、その際にこの圧縮率は加圧ガスタンクに水素を貯蔵することで達成できる。この点、即ち膜法にとって必要とされる費用的に有利な圧力増加は従来技術に比較して経済的に重要な長所である。
【００４９】
本発明の方法の別の長所は、シフト反応を完全に必要としないことそしてそれ故にその段階で発生するエネルギー損失も避けられる点である。発生する水素は１００容量％までの割合である。従って本発明の方法は従来技術の方法よりも著しく高い効率を示す。更に合成ガス発生のための反応温度も、触媒のところでまたは接触活性膜のところで直接的に加熱が行われるので低くともよい。他の反応系では、熱が活性中心のところで直接的に発生しないので温度を著しく高くしなければならない。
【００５０】
本発明の方法は他の長所を、例えば残留物（膜型反応器からの廃ガス）の後処理工程でもたらす。二酸化炭素はその臨界温度（３１℃）が比較的に低い（７６ｂａｒの臨界圧）ので容易に液化される。例えば二酸化炭素は３５ｂａｒの圧力で０℃で液化できる。高純度の水素を製造する方法は２０〜８０ｂａｒの圧力で実施される。膜型反応器内での水素の分離および水の凝縮によって７０％以上のＣＯ２ を含有する二酸化炭素の豊富なガスが残る。このガスはこの主成分の他に未だ水素および未反応の炭化水素並びに一酸化炭素も含有している。従来技術で説明される方法はこのガスを後燃焼に付す。このガスで達成できる最高温度は燃焼できない多量のガスのために低い。このガスはこの理由で改質器で必要とされる高温を達成するのに適していない。従来技術に従って説明される方法の一部は、必要な改質器温度を達成するために部分酸化を用いて実施している。この目的のためには改質性物質に空気を添加する。空気は著しい量の窒素を含有しているので二酸化炭素は希釈される。
【００５１】
ここに説明する方法はこの欠点を有していない。空気を使用しないので、分離されていない水素および未反応の炭化水素並びに一酸化炭素によってしか汚染されていない二酸化炭素が生じる。この高度に濃縮された二酸化炭素は穏やかな温度で液化できそして燃焼性ガスから分離される。窒素での希釈はガス中の二酸化炭素の分圧を、液化が非常に高い系圧または非常に低い液化温度でしか発生しない程に低下させる。
【００５２】
液状二酸化炭素は冷却に使用することができる。二酸化炭素についてリサイクル性を持たせる場合には、系に二酸化炭素を保存しそして燃料補給の際に炭化水素と一緒に再び工程に供給することができる。
【００５３】
残留物を燃焼性成分と非燃焼性成分とに分離することができるので、装置を（水素収率に関して）低い変換率で運転することができる。燃焼性ガスは残留物の分離後に未希釈の状態で加熱ガスとして使用できる。化学的プロセスの１００％の変換率は多大な費用をかけてしか達成できないことが公知であるので、この技術は多くの場合、未反応生成物の精製および回収に助けを求める。吸熱的な水蒸気改質反応に必要な熱が精製した残留物から得られそしてそれ故に著しい量の反応時間が節約されあるいは低い反応温度を選択することができるという長所がある。変換率は、要求される量の加熱ガスを生成する量に低減される。この方法は従来技術と、燃料から２種の生成物、即ち（燃料電池のための）水素および（水蒸気改質器のための）加熱ガスをもたらす点で相違する。加熱ガスは空気酸素による直接的燃焼により並びに電気的加熱システムとの関係で燃料電池を用いて必要な熱を発生させる。この目的に適する燃料電池の一つは残留炭化水素を用いて運転できそして含有する一酸化炭素を許容する例えばＳＯＦＣである。
【００５４】
原則として、膜型反応器の膜によって、予備処理段階のために必要とされる多量の水素だけを分離しそして残留する残留物でＳＯＦＣを運転することも可能である。
【００５５】
以下に詳述する通り、系に関連する水素圧はスターターバッテリーの形の追加的なエネルギー源を省くことをも可能とする。水素は高圧で使用することができるので、装置を運転するために十分な水素をタンクに保存することを可能とする。この系は更にこの水素タンクを用いて、短期間の需要ピークを補うことができる。かゝる需要ピークは自動車を加速することによってまたは家庭においては電子レンジを使用する時に発生する。加圧運転が、これらのピークを補いそして改質器を連続的に運転することを可能とする。改質器制御に必要な応答時間は従来技術に比較して明らかに遅くできる。このことはプロセス制御を著しく簡略化する。他の長所は改質器の操業休止操作の間に未だ発生する残留水素を損失することなくコンプレッサーによって水素がタンクに貯蔵される点である。
【００５６】
他の系からの不完全に変換された水素も同様にこの系で使用することもできる。それ故に燃料電池は、慣用の系では燃焼させなければならない低圧の水素流を使用できる。
【００５７】
この系は水素圧を発生させるので、水素を加圧タンクに保存することが可能である。燃料電池または他の燃焼器はこの加圧タンクから水素を取り出すことができる。それ故にこの装置は外部エネルギー源、例えばスターターバッテリーの形のそれなしで運転することができる。水素を（加圧によって）貯蔵できることが、低い消費水準を防ぎおよび／または直接消費されない水素を貯蔵することを可能とする。これによってこの系は消費者から切り離すことができる。このことがより簡単で費用の掛からない制御系をもたらす。より簡単な制御系は水素バッファーを使用できるので、開始時および運転休止時に特に有効である。バッファーのおかげて、発生する水素の量を、高まった需要をバッファーで満足させるので同様に著しく迅速に変更することができそして水素の生成を最適なエネルギー効率を考慮して増やすことができる。水素の生産が減少した場合には過剰に生成した水素がタンクに貯蔵され、容易に利用することができる。従来技術に従う系は常圧で運転されので、この様な操作ができないかまたはかゝる水素バッファーを造るために追加的な装置を必要とする。
【００５８】
更に本発明は本発明の方法に適する炭化水素混合物にも関する。その組成は次の様に測定できる：
この炭化水素混合物は、例えばＰＩＯＮＡに従って分析される。この方法では個々の構成要素が測定できる。構成要素の効率的寄与は純粋成分から熱力学的計算によって決めることができる。従って各物質流へのエネルギー寄与度を計上することができる。評価計算によって混合比を決めることができる（表２のトルエン／ドデカンの例参照）。表１からは、芳香族化合物がマイナスのエンタルピーを示し、即ち過剰の熱を発生し、他方パラフィンがプラスのエンタルピー（即ち目的の温度を達成するために熱を必要とする）を示すことがわかる。理想的な場合にはこの混合物は所定の圧力および温度の値においてエンタルピーが０である（表２の実施例１および２参照）。方法の特に有利な実施態様において追加的に水蒸気を加熱する場合には、目的の温度を達成するために水蒸気を必要とする値のエンタルピーを有していなければならない。エンタルピーは系の追加的熱損失をも相殺する程の大きさであるのが好ましい。
【００５９】
構造パラメータは以下に説明する様に行う：
ｎ−パラフィン製造での生成物の組成は一定の温度および一定の圧力のもとでは知られている。この条件のもとでは熱力学的計算によって反応の実熱量は決めることができる（ 炭化水素＋室温の水素＝目標温度での目標生成物）。この計算は種々の純粋成分について行う（表参照）。結果は一連のエンタルピー値である。存在する構造要素の数に少なくとも等しい、色々な構造要素を持つ沢山の純粋成分を試験して、優決定式系を生じさせなければならない。この式の系の解答はそれぞれの個々の構造パラメータについてそれぞれのエネルギー値を示す。実際の混合物については一般に熱力学的パラメータが知られておらず、エンタルピー値は実験的に決めなければならない。計算の結果は第一に目的温度にそして第二に触媒の品質あるいはそれから得られる予備処理段階の反応ガスの組成に著しく左右される。
【００６０】
表３からは平均温度が熱力学的計算値に相当することがわかる。反応器出口温度はいずれの場合にも４００℃である。平均温度は触媒の負荷と共に変化する。存在する反応器加熱器はいずれの場合にも反応器内部温度よりも低い。この加熱器で系の熱損失だけが相殺される。
【００６１】
反応成分ガスの組成を知ることができるガス化活性も同様に一定している。ＷＨＳＶ＝１での実験では、プロパン濃度を犠牲にしての比較的高いブタン濃度は僅かに低い出口温度に起因する。改質器を運転するためには、沢山のプロパンまたはブタンが存在するかどうかは重要ではない。ブタンとプロパンとの比は出口温度に非常に強く左右されるが、一方ではプロパンとブタンの実熱量への寄与はむしろ類似している。この比は最終温度で調整する。この実験では外部調整は不要であり、熱損失だけが相殺され、その結果プロパン／ブタン−比の変化は静止状態が達成されていないという事実に起因すると考えられる。
【００６２】
表４からは段階の動力消費量が負荷値にわたってまたは僅かな発熱状態でも一定していることを示している。休止状態と運転状態の両方での動力消費量を比較すると、損失量の約３０％は反応熱によって相殺されることを示している。
【００６３】
本発明の別の長所は以下のものがある：
ｎ−パラフィンを製造する予備処理のための反応器は加熱手段なしにおよび費用をかけて制御することなしに運転できる。特に可動的に運転するにはこれは重要な長所である。この系は装置の構造の意味においてこれによって明らかに簡単になる。同様に重要な安全性の観点では、かゝる混合物が過剰加熱または触媒の破壊をもたらさないことである。反応の断熱的最終温度が炭化水素混合物の組成によって正確に調整できるからである。
【００６４】
水素化できる芳香族化合物の必要な割合をどの様に決めるかを以下の表１を用いて簡単に説明する：
炭化水素混合物において意図的に使用する成分を例えばＰＩＯＮＡまたはＮＭＲによって分析する。これから得られるパラフィン、オレフィンおよび芳香族成分の種類をそれぞれの構造的分子割合に換算する。純粋成分から誘導されるかまたは相応する実験によって測定されたエンタルピー値はこれらの構造グループ（パラフィン系ＣＨ３ −、ＣＨ２ −、ＣＨおよび芳香族系ＣＨ−、Ｃ−）に割り当てられる。これらのデータを用いて混合物の計算によって、特定の温度水準を達成するために必要とされるのと正確に同じくらいの芳香族成分を炭化水素混合物に添加することが可能である。水素化および分解のために必要とされる水素の量は、原料と目的生成物との間の元素分析の差から決めることができる。
【００６５】
図１および２は本発明を更に詳細に説明するのに役立つ。
【００６６】
図１は、予備処理段階および後続の燃料電池を含めた有利な実施態様での本発明の方法のフローシート図を示している。この場合、炭化水素混合物は例えば燃料の状態で最初に予備処理段階に供給される。この予備処理段階では燃料流が最初に芳香族成分を除くために水素化され、次いで精製済みの炭化水素流が改質器に供給される。改質器において水素ガスへの変換が行われる。水素ガスの一部は予備処理段階で使用するために供給され、水素ガスの別の部分は燃料電池に供給されそして改質段階の膜を加熱するために電気エネルギーを発生させるために使用される。他の水素ガスはそのまま、例えば燃料電池において電気エネルギーを発生するためにまたは他の目的のために使用することができる。改質器中で生じる残留ガスは水蒸気改質反応器において後燃焼に付される。この場合には水素は予備処理段階で失われない。
【００６７】
図２は本発明の膜型反応器の色々な構造を図示している。反応器は特に有利には外壁が好ましくは多層構造を有する管状物よりなる。この構造は内側から外側に以下の通り構成されている。この反応器は最初に貴金属よりなる膜（１）を有している。この膜は貴金属よりなり、特に有利には触媒活性を有している。この層においては炭化水素ガスの本来の反応が発生する。安定化するために好ましくはこの層の周りに多孔質材料よりなるネット（２）が配置されており、このネットは電気的加熱導体によって加熱することができる。この様にして膜を加熱することが可能である。発生する水素ガスは膜を外方向に透過する。膜型反応器の他の特に有利な態様を図２ｂおよび２ｃに示す。実施態様２ｂでは膜型反応器の中心に電気的加熱導体が配置されており、これが追加的に加熱するのにまたは場合によっては反応器の外部領域の電気的加熱導体と一緒に使用することができる。
【００６８】
図２ｃは、電気的加熱導体として中空体を用いる別の有利な実施態様を図示している。この中空体では追加的に廃ガスを空気で後燃焼させてもよい。
【図面の簡単な説明】
【図１】
図１は、予備処理段階および後続の燃料電池を含めた有利な実施態様での本発明の方法のフローシート図を示している。
【図２】
図２は本発明の膜型反応器の色々な構造を図示している。
【符号の説明】
図１の符号リスト：
１・・・炭化水素および誘導体、
２・・・水素
３・・・化学的蒸発器
４・・・膜型反応器
５・・・水
６・・・水素
７・・・残留物の分離
８・・・加熱ガス
９・・・二酸化炭素と水
図２の符号リスト：
１・・・触媒膜、例えばＰｄ／Ａｇ
２・・・ネット、多孔質金属またはセラミック
３・・・加熱伝導体
４・・・空気／残留物−流
【図３】
2004509042.tif 000002
2004509042.tif 000003
【図４】
2004509042.tif 000004
【図５】
2004509042.tif 000005
【図６】
2004509042.tif 000006
【国際公開パンフレット】
2004509042.tif 000007
2004509042.tif 000008
2004509042.tif 000009
2004509042.tif 000010
2004509042.tif 000011
2004509042.tif 000012
2004509042.tif 000013
2004509042.tif 000014
2004509042.tif 000015
2004509042.tif 000016
2004509042.tif 000017
2004509042.tif 000018
2004509042.tif 000019
2004509042.tif 000020
2004509042.tif 000021
2004509042.tif 000022
2004509042.tif 000023
2004509042.tif 000024
2004509042.tif 000025
2004509042.tif 000026
2004509042.tif 000027
2004509042.tif 000028
2004509042.tif 000029
2004509042.tif 000030
2004509042.tif 000031
2004509042.tif 000032
2004509042.tif 000033
2004509042.tif 000034
2004509042.tif 000035
2004509042.tif 000036
2004509042.tif 000037
2004509042.tif 000038
2004509042.tif 000039
2004509042.tif 000040
2004509042.tif 000041
2004509042.tif 000042
2004509042.tif 000043
【国際公開パンフレット（コレクトバージョン）】
2004509042.tif 000044
【国際調査報告】
2004509042.tif 000045
2004509042.tif 000046
2004509042.tif 000047
2004509042.tif 000048
2004509042.tif 000049
2004509042.tif 000050
2004509042.tif 000051
2004509042.tif 000052
2004509042.tif 000053
2004509042.tif 000054
2004509042.tif 000055
2004509042.tif 000056
2004509042.tif 000057
2004509042.tif 000058